(57)【要約】【課題】頭部を通常通り少し傾動させて視線を更に下方へ向けて手元を見る際に、自動的にこの目の下方の動きに合せて照明範囲を自動変化させて視線先の手元を照明し、頭部を上げれば再び自動的に元の前方を照明することになる極めて優れた画期的な頭部前方照明装置を提供すること。【解決手段】頭部に装着する本体部２に前方を照明する照明部１を設け、この照明部１の照明範囲を可変自在に設け、前記頭部を下方に傾動して顔を下方に向けることで、この照明部１の下方へ移動した照明範囲を更に自動的に下方へ移動又は変更若しくは拡大して、手元や足元を照明する自動照明範囲可変機構３を設けた頭部前方照明装置。【選択図】図３
2015017335.tif 000002
【特許請求の範囲】
【請求項１】
頭部に装着して前方を照明する頭部前方照明装置であって、頭部に装着する本体部に前方を照明する照明部を設け、この照明部の照明範囲を可変自在に設け、前記頭部を下方に傾動して顔を下方に向けることで、この頭部に装着した前記本体部が下方に傾動すると共に前記照明部も下方へ傾動する際、この照明部の下方へ移動した照明範囲を更に自動的に下方へ移動又は拡大若しくは変更して、顔が向いている前下方より更に手前の手元や足元を照明する自動照明範囲可変機構を設けたことを特徴とする頭部前方照明装置。
【請求項２】
腹若しくは胸の手前の手に持った物を上方から見る時に、首を傾げて顔を前下方に向けた際、顔を真下に向けなくても顔の向いている方向よりも更に下方に自動的に前記照明部の照明範囲が移動又は拡大若しくは変更して、視線先の前記手に持った物を照明するように前記自動照明範囲可変機構の前記照明部の照明範囲の変化度合を設定したことを特徴とする請求項１記載の頭部前方照明装置。
【請求項３】
前記本体部が傾動することで前記照明部が傾動する傾動量に比例せず下方へ大きく傾動した際には下方へ少し傾動した際よりも前記照明部の照明範囲の変化度合を大きくしたことを特徴とする請求項２記載の頭部前方照明装置。
【請求項４】
前記照明部を上下方向に傾動自在に設けて照明部の照明範囲を可変自在に設け、前記頭部を下方に傾動して顔を下方に向けることで、この頭部に装着した前記本体部が下方に傾動すると共に前記照明部も下方へ傾動する際、この照明部をこの下方へ更に傾動させて、顔が向いている前下方より更に手前の手元や足元を照明するように自動傾動させる自動過傾動機構により前記自動照明範囲可変機構を構成したことを特徴とする請求項１〜３のいずれか１項に記載の頭部前方照明装置。
【請求項５】
前記照明部を複数設ける又は前記照明部の光源を複数設けた構成とし、この複数の光源の点灯若しくは各光度を制御することで前記照明部の照明範囲を可変自在に設け、前記頭部を下方に傾動して顔を下方に向けることで、この頭部に装着した前記本体部が下方に傾動すると共に前記照明部も下方へ傾動する際、この照明部の前記複数の光源の下側の光源を点灯若しくはその光度を増大させて、前記下方に傾動した前記照明部の照明範囲を下方へ拡大若しくは変更して、顔が向いている前下方より更に手前の手元や足元を照明する自動点灯制御機構により前記自動照明範囲可変機構を構成したことを特徴とする請求項１〜３のいずれか１項に記載の頭部前方照明装置。
【請求項６】
前記照明部の光散乱状態若しくは光反射導光状態を可変自在に設けて前記照明部の照明範囲を可変自在に設け、前記頭部を下方に傾動して顔を下方に向けることで、この頭部に装着した前記本体部が下方に傾動すると共に前記照明部も下方へ傾動する際、この照明部の光散乱状態若しくは光反射導光状態を可変して照明範囲を更に下方に拡大若しくは変更して、顔が向いている前下方より更に手前の手元や足元を照明する自動照明状態可変機構により前記自動照明範囲可変機構を構成したことを特徴とする請求項１〜３のいずれか１項に記載の頭部前方照明装置。
【請求項７】
前記本体部が下方へ傾動する前は、上下方向に傾動自在に設けた前記照明部の下方への傾動を阻止して前方を照明し、且つ前記本体部が下方へ傾動すると共に前記照明部が傾動した際には、前記照明部の下方への傾動が許諾される傾動阻止許容切替え機構を備えると共に、前記本体部が下方へ傾動することで前記傾動阻止許容切替え機構が傾動許容状態に切り替わると共に、前記照明部が重力により自動的に下方へ所定量若しくはその傾斜に応じて傾動する吊下げ傾動機構とを備えて前記自動過傾動機構を構成したことを特徴とする請求項４記載の頭部前方照明装置。
【発明の詳細な説明】
【技術分野】
【０００１】
本発明は、登山者，作業者，救助隊員や夜釣人などが、ヘッドバンドで頭部額に直接装着したり、頭部に装着するヘルメットや帽子や眼鏡などに取り付けて頭部に装着するヘッドライトなどの頭部前方照明装置に関するものである。
【背景技術】
【０００２】
夜間や暗がりの活動に際して水平前方や前下方などの前方の行動範囲を照明するための頭部前方照明装置は、点灯スイッチの他、点滅制御や光散乱状態の切替えなど照明状態を切り替えることができるものや、明るさを調整できるものや、その照明方向（上下角度）を調整できるものなどがある。
【０００３】
例えば、登山者や夜釣人などがヘッドバンドにより頭部に装着して水平前方や前下方などの前方を照明するヘッドライトは、照明部の光源のＬＥＤをＯＮ・ＯＦＦするスイッチを設け、更にヘッドバンドを少しずらして照明部の照明方向を調整するだけでなく、光源と照明光を前方へ反射導光する反射導光部とから成る照明部（照明ユニット）を傾動調整自在に設けて、この照明部の光軸を水平方向から上下方向に調整できるように構成して、前方のどの辺りを照明するか、どのくらい近くを照明するかを手で傾動調整できる構成としている。
【０００４】
一方、このようなヘッドライトは、照明範囲が少し先の前下方（前方路）を照明するように水平に対して少しだけ光軸を下向きにして照明部を固定している。そのため手に持った地図や設計図面を見ようとする時には、あるいは手元で作業する時には、手元を見るために頭部を下方へ傾けて顔を前下方に向けるが、それ以上無理に首を曲げず目だけを動かして視線を更に下方に向けて手元を見るために、視線先の手元が十分に照明されない。
【０００５】
即ち、このように人が手元を見る時は、頭部を十分に下方へは向けず顔が前下方を向く程度までしか傾動させず、この状態で視線を更に下方に向けることが多い。
【０００６】
特にヘルメットに設けられている頭部前方照明装置の場合には、ヘルメットが外れたり、ずれたりすることがないようにしたいとの意識が働くため、顔が真下を向くまで十分に頭部を傾動させることはない。また、前方を見たり手元を見たりと頻繁に頭部を動かさなければならない場合にも、この傾向は一層強い。
【０００７】
そのため、人は暗い所で手元を見る時は、頭部をなるべく下方に向けて顔を真下に向けるようなことはせず、無意識に頭部を少しだけしか傾けず顔は前下方に向けたままで目だけを更に下方に向けることが多い。
【０００８】
このことは、上方を仰ぎ見る場合も同様で、この場合も手で照明部を動かしていた。
【０００９】
従って、このように手元を見る時は、無意識にあるいは自然にあるいは必然的動作として、照明部の照明範囲（照明方向）が下方の手元範囲となるように（視線と同じ方向を向くように）手で照明部を下方に動かしている。
【００１０】
従って、従来のヘッドライトは手元を見たい時、一々手で照明部を下向きに調整して手元を照明するようにし、再び頭部を起こして前方を向いた時には元の略水平状態に戻し前方を照明するように手で調整し直さなければならなかった。
【発明の概要】
【発明が解決しようとする課題】
【００１１】
本発明は、このような現状に鑑み、手元を見る時に照明部を下方に向ける手動調整は必然的動作と考えられていた従来の固定観念を打破し、問題視すらされていなかったこの問題を解決し、これまでの人間の動作に合せて、頭部を通常通り少し傾動させて視線を更に下方へ向けて手元を見る際に、自動的にこの目の下方の動きに合せて照明範囲を自動変化させて視線先の手元を照明し、頭部を上げれば再び自動的に元の前方を照明することになる極めて優れた画期的な頭部前方照明装置を提供することを目的としている。
【課題を解決するための手段】
【００１２】
添付図面を参照して本発明の要旨を説明する。
【００１３】
頭部に装着して前方を照明する頭部前方照明装置であって、頭部に装着する本体部２に前方を照明する照明部１を設け、この照明部１の照明範囲を可変自在に設け、前記頭部を下方に傾動して顔を下方に向けることで、この頭部に装着した前記本体部２が下方に傾動すると共に前記照明部１も下方へ傾動する際、この照明部１の下方へ移動した照明範囲を更に自動的に下方へ移動又は拡大若しくは変更して、顔が向いている前下方より更に手前の手元や足元を照明する自動照明範囲可変機構３を設けたことを特徴とする頭部前方照明装置に係るものである。
【００１４】
また、腹若しくは胸の手前の手に持った物を上方から見る時に、首を傾げて顔を前下方に向けた際、顔を真下に向けなくても顔の向いている方向よりも更に下方に自動的に前記照明部１の照明範囲が移動又は拡大若しくは変更して、視線先の前記手に持った物を照明するように前記自動照明範囲可変機構３の前記照明部１の照明範囲の変化度合を設定したことを特徴とする請求項１記載の頭部前方照明装置に係るものである。
【００１５】
また、前記本体部２が傾動することで前記照明部１が傾動する傾動量に比例せず下方へ大きく傾動した際には下方へ少し傾動した際よりも前記照明部１の照明範囲の変化度合を大きくしたことを特徴とする請求項２記載の頭部前方照明装置に係るものである。
【００１６】
また、前記照明部１を上下方向に傾動自在に設けて照明部１の照明範囲を可変自在に設け、前記頭部を下方に傾動して顔を下方に向けることで、この頭部に装着した前記本体部２が下方に傾動すると共に前記照明部１も下方へ傾動する際、この照明部１をこの下方へ更に傾動させて、顔が向いている前下方より更に手前の手元や足元を照明するように自動傾動させる自動過傾動機構４により前記自動照明範囲可変機構３を構成したことを特徴とする請求項１〜３のいずれか１項に記載の頭部前方照明装置に係るものである。
【００１７】
また、前記照明部１を複数設ける又は前記照明部１の光源５を複数設けた構成とし、この複数の光源５の点灯若しくは各光度を制御することで前記照明部１の照明範囲を可変自在に設け、前記頭部を下方に傾動して顔を下方に向けることで、この頭部に装着した前記本体部２が下方に傾動すると共に前記照明部１も下方へ傾動する際、この照明部１の前記複数の光源５の下側の光源５を点灯若しくはその光度を増大させて、前記下方に傾動した前記照明部１の照明範囲を下方へ拡大若しくは変更して、顔が向いている前下方より更に手前の手元や足元を照明する自動点灯制御機構６により前記自動照明範囲可変機構３を構成したことを特徴とする請求項１〜３のいずれか１項に記載の頭部前方照明装置に係るものである。
【００１８】
また、前記照明部１の光散乱状態若しくは光反射導光状態を可変自在に設けて前記照明部１の照明範囲を可変自在に設け、前記頭部を下方に傾動して顔を下方に向けることで、この頭部に装着した前記本体部２が下方に傾動すると共に前記照明部１も下方へ傾動する際、この照明部１の光散乱状態若しくは光反射導光状態を可変して照明範囲を更に下方に拡大若しくは変更して、顔が向いている前下方より更に手前の手元や足元を照明する自動照明状態可変機構７により前記自動照明範囲可変機構３を構成したことを特徴とする請求項１〜３のいずれか１項に記載の頭部前方照明装置に係るものである。
【００１９】
また、前記本体部２が下方へ傾動する前は、上下方向に傾動自在に設けた前記照明部１の下方への傾動を阻止して前方を照明し、且つ前記本体部２が下方へ傾動すると共に前記照明部１が傾動した際には、前記照明部１の下方への傾動が許諾される傾動阻止許容切替え機構８を備えると共に、前記本体部２が下方へ傾動することで前記傾動阻止許容切替え機構８が傾動許容状態に切り替わると共に、前記照明部１が重力により自動的に下方へ所定量若しくはその傾斜に応じて傾動する吊下げ傾動機構９とを備えて前記自動過傾動機構４を構成したことを特徴とする請求項４記載の頭部前方照明装置に係るものである。
【発明の効果】
【００２０】
本発明は上述のように構成したから、これまでの人間の動作に合せて、頭部を通常通り少し傾動させて視線を更に下方へ向けて手元を見る際に、自動的にこの目の下方の動きに合せて照明範囲を自動変化させて視線先の手元を照明し、頭部を上げれば再び自動的に元の前方を照明することになる極めて優れた画期的な頭部前方照明装置となる。
【００２１】
また、請求項２，３記載の発明においては、前方を照明して夜間や暗がりで活動する場合と、手元を照明して手元の地図や設計図などの書類や手元の物を見る場合とが、頭部を傾ける動作に応じて自動的に切り替わって非常に使い易く便利であり、特に請求項３記載の発明においては、前方を見て前方が照明されている時には、たとえ少し頭部が傾いてもこれに対する照明部の照明範囲の変化度を弱く（鈍く）することで、不必要に照明範囲が変化せず、手元を見る時のように大きく頭部を傾動する時には、手元を確実に照明するように照明範囲が下方へ十分に変化する極めて実用性に優れた頭部前方照明装置となる。
【００２２】
また、請求項４，７記載の発明においては、傾斜したことに応じて自動的に照明部を傾動させて照明範囲を下方に移動する構成としたため、極めて容易に本発明を実現できる実用性に優れた頭部前方照明装置となる。特に請求項７記載の発明においては、更にこの自動傾動も照明部の傾きに応じて重力により更に自動傾動させて照明範囲を下方に移動させるため、一層実用性に優れた画期的な頭部前方照明装置となる。
【００２３】
また、請求項５記載の発明においては、例えば傾斜センサーなどにより傾動状態を検知し、これにより複数の光源の点灯若しくは光度を制御することで照明範囲を変化させる構成としたため、容易に本発明を実現できる実用性に優れた頭部前方照明装置となる。
【００２４】
また、請求項６記載の発明においては、例えば傾斜センサーなどにより傾動状態を検知し、これにより光散乱状態や光反射導光状態を変化させることで照明範囲を変化させる構成としたため、容易に本発明を実現できる実用性に優れた頭部前方照明装置となる。
【図面の簡単な説明】
【００２５】
【図１】本実施例の斜視図である。
【図２】本実施例の前方照明時の説明図である。
【図３】本実施例の手元照明時（頭部を下方に傾動して顔を前下方に向けて視線方向の手元を照明する時）の説明図である。
【図４】本実施例の上方照明時（頭部を上方に傾動して顔を上方に向けて更に上方の視線方向を照明する時）の説明図である。
【図５】本実施例（実施例１）の自動照明範囲可変機構（自動過傾動機構）を示す要部の前方照明時の説明斜視図である。
【図６】本実施例（実施例１）の自動照明範囲可変機構（自動過傾動機構）を示す要部の前方照明時の説明側断面図である。
【図７】本実施例（実施例１）の自動照明範囲可変機構（自動過傾動機構）を示す要部の手元照明時の説明斜視図である。
【図８】本実施例（実施例１）の自動照明範囲可変機構（自動過傾動機構）を示す要部の手元照明時の説明側断面図である。
【図９】本実施例（実施例１）の自動照明範囲可変機構（自動過傾動機構）を示す要部の手元照明時の作動説明図である。
【図１０】本実施例（実施例１）の自動照明範囲可変機構（自動過傾動機構）を示す要部の上方照明時の説明斜視図である。
【図１１】本実施例（実施例１）の自動照明範囲可変機構（自動過傾動機構）を示す要部の上方照明時の説明側断面図である。
【図１２】本実施例（実施例１）の自動照明範囲可変機構（自動過傾動機構）を示す要部の上方照明時の作動説明図である。
【図１３】本実施例（実施例２）の自動照明範囲可変機構（自動過傾動機構）を示す要部の手元照明時の説明側断面図である。
【図１４】本実施例（実施例３）の自動照明範囲可変機構（自動点灯制御機構）を示す要部の手元照明時の説明側断面図である。
【図１５】本実施例（実施例４）の自動照明範囲可変機構（自動照明状態可変機構）を示す要部の手元照明時の説明側断面図である。
【発明を実施するための形態】
【００２６】
好適と考える本発明の実施形態を、図面に基づいて本発明の作用を示して簡単に説明する。
【００２７】
前方を照明している状態、例えば水平前方方向若しくは水平より少し下向き方向（前下方）に照明部１の光軸を向けて前方を照明している状態から、手元を見る場合、例えば腹や胸の前で手に持った物をその上方から見る場合、人は首を少し曲げて頭部を下方に傾動し、顔を前下方に向けるが、顔を真下近くまでは向けず、このように首を少し傾げた状態（顔を前下方に向けた状態）のまま、目を更に下方へ動かして視線を手元に向けて手元の物を見ることが多い。
【００２８】
本発明は、この頭部の傾動に応じて視線の先の手元や足元を照明する自動照明範囲可変機構３を備えている。
【００２９】
即ち、このように手元の物を見る際には、このような人間の動作に合せて頭部前方照明装置の照明範囲が自動的に変化し、顔を向けている方向より更に下方の視線方向にある手元を照明するように照明範囲が下方へ移動又は拡大若しくは変更する。
【００３０】
言い換えると、水平前方や前下方などの前方を照明する照明部１の照明範囲は、頭部の傾動に伴って下方に傾いて前下方を照明するが、この頭部の傾動に伴って自動照明範囲可変機構３が作動して、更に自動的にこの照明範囲より更に下方に変化（下方へ移動又は拡大若しくは変化）し、通常通り頭部を少し傾けた状態での視線の先の手元を照明する。
【００３１】
例えば、この頭部の傾動に伴って自動的に照明部１を自重により傾動させたり、この頭部の傾動を検知して照明部１を傾動駆動させたり、又は光源５を複数設けてこれを点灯切り替えしたり光度変化させたり、光の散乱状態や反射導光状態の変化により、照明範囲を下方に移動又は拡大若しくは変更したりすることで、頭部を傾けた時の視線方向の見たい手元の物を、頭部を更に傾けることなく自動的に確実に照明することになる。
【００３２】
このように本発明は、手元の物を見ようとして頭部を傾動すると、これに伴って更に下方に向ける視線方向のその手元の物を照明するように自動的に照明部１の照明範囲が変化することになる。
【００３３】
従って、従来のように必然的動作とされていた照明部１の手での調整操作が不要となり、頭部を傾動すると、これまで通り手で調整しなくてもまた普段と異なり照明を向けるために大きく無理に首を過傾動しなくても、自動的に照明範囲が変化して手元を照明することとなる非常に優れた画期的な頭部前方照明装置となる。
【実施例１】
【００３４】
本発明の具体的な実施例１について図面に基づいて説明する。
【００３５】
本実施例は、頭部額に配置させる本体部２に前方を照明する照明部１を設け、この照明部１の照明範囲を可変自在に設け、頭部を下方に傾動して顔を下方に向けることで、この頭部に装着した前記本体部２が下方に傾動すると共に前記照明部１も下方へ傾動する際、この頭部の傾動に伴って下方へ移動した照明部１の照明範囲を、更に自動的に下方へ移動又は拡大若しくは変更して、顔が向いている前下方より更に手前の手元や足元を照明する自動照明範囲可変機構３を設けた構成としている。
【００３６】
即ち、照明部１は光源５とこの光源５からの照明光を反射導光させて指向性を付与する反射導光部11と、更にこの照明光を透過させて散乱させたりや更に照明広角を広狭させる光透過部12などとから成り、これらを可動したり切り替えたり変化させたりすることでこの照明部１の照明範囲が頭部の傾動に伴ってこの傾動以上に下方に変化するように構成している。
【００３７】
例えば、腹若しくは胸の手前の手に持った物を上方から見る時に、首を傾げて顔を前下方に向けた際、顔を真下に向けなくても顔の向いている方向よりも更に下方に自動的に前記照明部１の照明範囲が変化，即ち、移動又は拡大若しくは変更して、視線先の前記手に持った物を照明するように前記自動照明範囲可変機構３を構成している。
【００３８】
即ち、この自動照明範囲可変機構３の前記照明部１の照明範囲の変化度合を前述のように視線方向の手元を照明することになるように設定している。
【００３９】
また、本実施例では、前記本体部２が傾動することで前記照明部１が頭部と共に傾動する傾動量に比例せず、頭部が下方へ大きく傾動した際には下方へ少し傾動した際よりも前記照明部１の照明範囲の変化度合を大きくしている。
【００４０】
即ち、前方を見て（顔を水平前方に向けて）水平前方や前下方が照明されている時には、たとえ少し頭部を傾げてもこれに対する照明部１の照明範囲の変化度を弱く（動かない場合も含む）することで、不必要に照明範囲が変化せず、ある傾動角以上傾いたら変化が生じるようにしたり、手元を見る時のように大きく頭部を傾動した時に一挙に大きく変化して手元を確実に照明するように、照明範囲の変化度合を設定した構成としている。
【００４１】
また、本実施例は、下方ではなく逆に上方を仰ぎ見る場合に、同様に顔を上方へ向ける方向よりも更に上方を照明するように、即ち、手元を見る時と同様に上方を見る時も顔を向ける方向より目だけを更に動かして上方に視線を向けるため、この視線方向を照明するように、上方に頭部を傾けた時には、更に上方に照明範囲が自動的に変化するように構成している。
【００４２】
更に具体的に、先ず第一実施例（実施例１）について説明する。
【００４３】
本実施例では、前記照明部１を上下方向に傾動自在に設けて照明部１の照明範囲を可変自在に設け、前記頭部を下方に傾動して顔を下方に向けることで、この頭部に装着した前記本体部２が下方に傾動すると共に前記照明部１も下方へ傾動する際、この照明部１をこの下方へ更に傾動させて、顔が向いている前下方より更に手前の手元や足元を照明するように自動傾動させる自動過傾動機構４により前記自動照明範囲可変機構３を構成している。
【００４４】
具体的には、傾斜センサーなどを用いず、照明部１を傾動自在に設け、頭部が傾動することで本体部２及びこの照明部１が傾動すると、照明範囲は頭部の傾動により下方へ移動するが、更に前記自動過傾動機構４により自動的に照明部１が更にこの傾動方向に自重により傾動して照明範囲が更に下方へ移動する構成としている。
【００４５】
更に説明すると、本実施例では本体部２に設けたヘッドバンド10を頭部に巻いてこの本体部２を額正面に装着するもので、この本体部２に照明部１と電源とを内装し、この照明部１は頭部前方を照明するように構成している。
【００４６】
即ち、本実施例では、電源により点灯し上部の点灯スイッチ22によりＯＮ・ＯＦＦする光源５（ＬＥＤ）を光透過部12（レンズカバー）内側に配設し、この光源５からの照明光を反射導光させて指向性を付与する反射導光部11（アクリルレンズ）を光源５とレンズカバー12との間に設けて、レンズカバー12から指向性を付与された照明光が前方に、例えば額に装着した際水平方向より２０度下方に光軸が向く前下方に照射して前方を照明するように照明部１を構成している。
【００４７】
本実施例では、この照明部１をユニット毎可動調整自在に設けても良いが、この照明部１の前記反射導光部11を光源５に対して上下方向に回動傾動自在に設けて、照明部１を上下方向に傾動自在に設けている。
【００４８】
即ち、本体部２内に固定されている光源５に対して反射導光部11を上下方向に回動傾動自在に設けて照明部１を傾動自在に構成している。言い換えると、この反射導光部11の傾動度合により光源５から照射光の光軸が変化し照明範囲が変化するように構成して、照明部１の照明範囲を上下方向に可変自在に構成している。
【００４９】
更に説明すると、本実施例では、前記本体部２が下方へ傾動する前は、上下方向に傾動自在に設けた前記照明部１の下方への傾動を阻止して前方を照明し、且つ前記本体部２が下方へ傾動すると共に前記照明部１が傾動した際には、前記照明部１の下方への傾動が許諾される傾動阻止許容切替え機構８を備えると共に、前記本体部２が下方へ傾動することで前記傾動阻止許容切替え機構８が傾動許容状態に切り替わると共に、前記照明部１が重力により自動的に下方へ所定量若しくはその傾斜に応じて傾動する吊下げ傾動機構９とを備えて前記自動過傾動機構４を構成している。
【００５０】
具体的には、本実施例では、前述のように反射導光部11を下方へ回動傾動自在に設けて照明部１を上下方向に傾動自在に設け、照明部１の照明範囲を可変自在に設けている。
【００５１】
しかし、頭部額の本体部２を顔が向いている方向に向けて装着し、顔が水平前方を向いている時には、反射導光部11が水平方向より２０度下方を向いた方向で保持され、多少頭部が傾いても動かず、また更に少し動いてもその動きは小さい（鈍い）ように設定している。
【００５２】
また、本実施例では、光源５の位置を中心に回動する回動部13に、この光源５の前方に位置して光軸方向を決定することになる前記反射導光部11を設け、この回動部13が所定角度回動することにより光源５に対してこの反射導光部11の位置が回動移動し、光源５からの照明光（照明範囲）が上下方向に変化するように構成している。
【００５３】
即ち、前述のように頭部を水平前方に向けている場合も更に少し傾けた場合も反射導光部11はほとんど回動傾動しないが、手元を見ようと頭部が大きく傾動すると、傾動阻止許容切替え機構８により傾動許容状態にあり、更に吊下げ傾動機構９により、この回動部13が回動させられることで自動的に回動傾動するように構成している。
【００５４】
この回動部13は、頭部の傾動により吊下げ傾動機構９によって回動力が生じるように構成するものであるが、具体的には、この照明部１の照明方向を上下方向に変化させることになる反射導光部11を設けた回動部13に、傾動することでこの回動部13を自重により自動回動させるウェイト回動部14（ウェイトホルダー）を吊下げた構成としている。
【００５５】
このウェイト回動部14は、回動軸15を中心に回動自在に設け、この回動軸15の下方に傾動に伴って鉛直方向に動くウェイト部16を設け、上方に前記回動部13と連結する連結部17を設け、本体部２が首を曲げて頭部を傾けることで傾くと、このウェイト部16の自重によりこのウェイト部16が鉛直方向に動くことで回動軸15を支点にウェイト回動部14（その上部の連結部17）は回動する。即ち、このウェイト回動部14の下方のウェイト部16のウェイトバランスによる回動に伴って上方の連結部17は回動し、この連結部17と連結した回動部13を回動させる構成としている。
【００５６】
また、この回動部13とウェイト回動部14の連結部17との連結は、ピン18とカム溝19（長孔）との係合により連結する構成とし、この連結部17の回動により回動部13がスムーズに回動してこの回動部13に設けた反射導光部11が光源５の前方で所定角度回動傾動して照明範囲を自動的に下方に移動するように構成している。
【００５７】
更に説明すると、このウェイト回動部14の回動軸15の上部の連結部17と、回動部13の回動周辺部とをピン18とカム溝19との係合により連結し、例えばこの回動部13の回動周辺部に設けたピン18が係合する連結部17のカム溝19の形状の設定により、頭部を傾けてウェイト部16がこれに伴って真下に位置しようと自重により回動することで、連結部17に設けたカム溝19によるカム力が生じてピン18を介して回動部13がスムーズに回動して、照明部１即ち光源５に対する反射導光部11が所定角度回動するように構成している。
【００５８】
このように照明部１の反射導光部11を設けた回動部13と、傾きに応じて回動するウェイト回動部14とをピン18とカム溝19とにより連結する構成とすることで、前記傾動阻止許容切替え機構８と前記吊下げ傾動機構９とを構成している。
【００５９】
また、このカム溝19の形状の設定により、前述のように頭部が前方を向いている時には照明部１（反射導光部11）は所定の前下方を向くように位置していて、更に頭部が少しだけ傾動してもこれに応じてウェイト回動部14は回動しても回動部13はほとんど回動しないか少しだけしか回動せず、更にこのカム溝19の円弧度合の設定により所定以上傾動してウェイト回動部14が大きく回動する時、このカム溝19の形状により回動部13が大きく回動して反射導光部11を大きく下方へ回動傾動するように構成している。即ち、本実施例では、カム溝19の形状は、反射導光部11の回動傾動のガイドとなると共に回動傾動量の変化度合も定めることになる。
【００６０】
言い換えると、本実施例では、このカム溝19の形状の設定などにより、頭部の傾動量と照明部１（本実施例では反射導光部11）の傾動量とを比例させず、少し頭部を傾けた程度では照明部１は下方へふらつかず、手元を見る時のように大きく頭部を傾動させた時には、目的に沿うように（手元を照明するように）大きく（例えば３０度）下方へ傾動する構成となるように構成している。即ち、このカム溝19の形状等の設定により、不必要に照明部１が傾動せず、手元を見る時にこの手元を照明するように照明範囲が十分に下方に自動的に移動するように構成している。
【００６１】
また、このカム溝19の形状を、前方を見ている時の中央部を境に対称形状に設定して前述のように上方を見る時にも、下方の手元を見る時と同様に照明範囲が顔を向ける方向より更にその方向（上方）に回動部13を回動させて反射導光部11を傾動させてその方向に照明範囲が自動的に移動するように構成している。
【００６２】
また、本実施例では、このように例えば２０度予め前下方に向いている照明部１（反射導光部11）に対して約２０度頭を傾けると、更に３０度下方に照明部１（反射導光部11）が傾いて照明範囲が下方へ移動するように前記自動過傾動機構４（自動照明範囲可変機構３）を構成しているが、この機構の作動を阻止するために、例えば反射導光部11を設けた回動部13を固定・解除する作動停止切替え用の照明角度固定ノブ23（例えば回動部13の回動を阻止するネジ摘子）を設けてこの機構を作動させないようにしたり、作動させたあと元に戻らないように切替え自在に構成している。
【実施例２】
【００６３】
図１３は第二実施例（実施例２）を示すもので、この実施例は、前記傾動阻止許容切替え機構８及び前記吊下げ傾動機構９により前記自動過傾動機構４を構成せず、傾斜センサー20により所定角度以上頭部（本体部２）が傾動したことを検知し、それに応じてあるいは所定角以上傾動した際に、自重ではなく、電動モータなどの電動力により、例えば実施例１と同様に構成した照明部１の反射導光部11を設けた回動部13を、所定量回動させて、照明部１（例えば反射導光部11）を自動傾動駆動するように構成している。
【００６４】
具体的には、例えば回動部13の周辺歯25に電動モータで回転するピニオン24を歯合させてこの歯車機構により回動部13を所定量回動させる構成とすると共に、前記傾斜センサー20の傾斜度合の検知によりこの電動モータを制御するモータ制御部を設けた構成としている。
【実施例３】
【００６５】
図１４は第三実施例（実施例３）を示すもので、この実施例は、前記照明部１を複数設ける又は前記照明部１の光源５を複数設けた構成とし、この複数の光源５の点灯若しくは各光度を制御することで前記照明部１の照明範囲を可変自在に設け、前記頭部を下方に傾動して顔を下方に向けることで、この頭部に装着した前記本体部２が下方に傾動すると共に前記照明部１も下方へ傾動する際、この照明部１の前記複数の光源５の下側の光源５を点灯若しくはその光度を増大させて、前記下方に傾動した前記照明部１の照明範囲を下方へ拡大若しくは変更して、顔が向いている前下方より更に手前の手元や足元を照明する自動点灯制御機構６により前記自動照明範囲可変機構３を構成している。
【００６６】
即ち、本実施例では、上下方向に光源５と反射導光部11とから成る複数の照明部１を設け、上側の照明部１は反射導光部11により前下方を照明するように構成し、下側の照明部１は反射導光部11により頭部を傾けた時において手元を照明するように光軸を更に下方に向けた構成とし、実施例２のように傾斜センサー20で所定角度以上傾動したことを検知した際には、下方の照明部１の光源５を自動点灯して照明範囲を下方へ拡大するか、あるいはその時には上方の照明部１の光源５を消灯して照明範囲を下方へ変更する点灯制御部を設けた構成としている。
【実施例４】
【００６７】
図１５は第四実施例（実施例４）を示すもので、この実施例は、前記照明部１の光散乱状態若しくは光反射導光状態を可変自在に設けて前記照明部１の照明範囲を可変自在に設け、前記頭部を下方に傾動して顔を下方に向けることで、この頭部に装着した前記本体部２が下方に傾動すると共に前記照明部１も下方へ傾動する際、この照明部１の光散乱状態若しくは光反射導光状態を可変して照明範囲を更に下方に拡大若しくは変更して、顔が向いている前下方より更に手前の手元や足元を照明する自動照明状態可変機構７により前記自動照明範囲可変機構３を構成している。
【００６８】
具体的には、実施例２，３と同様に傾斜センサー20を設けて頭部が所定角度以上傾動した際、電動モータなどの電動力により光散乱状態を変更する光散乱板21（光拡散シート）を可動して照明部１の反射導光部11の前方に位置させて照明光を散乱することで照明範囲が拡大するように構成し、手元を見ようと頭部を傾けた際には、この光散乱板21がこのように介在することにより照明範囲が下方に自動拡大して、手元も照明するように構成している。
【００６９】
尚、本発明は、実施例１〜４に限られるものではなく、各構成要件の具体的構成は適宜設計し得るものである。
【符号の説明】
【００７０】
１  照明部
２  本体部
３  自動照明範囲可変機構
４  自動過傾動機構
５  光源
６  自動点灯制御機構
７  自動照明状態可変機構
８  傾動阻止許容切替え機構
９  吊下げ傾動機構
【図１】
2015017335.tif 000003
【図２】
2015017335.tif 000004
【図３】
2015017335.tif 000005
【図４】
2015017335.tif 000006
【図５】
2015017335.tif 000007
【図６】
2015017335.tif 000008
【図７】
2015017335.tif 000009
【図８】
2015017335.tif 000010
【図９】
2015017335.tif 000011
【図１０】
2015017335.tif 000012
【図１１】
2015017335.tif 000013
【図１２】
2015017335.tif 000014
【図１３】
2015017335.tif 000015
【図１４】
2015017335.tif 000016
【図１５】
2015017335.tif 000017